(57)【要約】【課題】従来の切り離しミシンは、単なるミシン目による切り離しミシンであった。  そこで、本発明は、「通常の切り離し機能を有し、且つ、偽造防止要素を兼ね備えた切込み」を有する帳票および帳票の作製方法を提供するものである。【解決手段】折り曲げや切り取りのための切込みが形成された帳票であって、切込みは複数のマイクロ文字または図柄、又はマイクロ文字と図柄の組み合わせで構成され、切込みは押切り刃またはレーザーで形成する切込みを有する帳票、帳票の作製方法を提供するものである。【選択図】  図１
2008200917.tif 000002
【特許請求の範囲】
【請求項１】
折り曲げや切り取りのための切込みが形成された帳票であって、
切込みは、複数のマイクロ文字または図柄、または、マイクロ文字と図柄の組み合わせで構成されたことを特徴とする切込みを有する帳票。
【請求項２】
請求項１に記載の切込みを有する帳票の作製方法であって、
切込みは、押切り刃によって形成されたことを特徴とする切込みを有する帳票の作製方法。
【請求項３】
請求項１に記載の切込みを有する帳票の作製方法であって、
切込みは、レーザーによって形成されたことを特徴とする切込みを有する帳票の作製方法。
【発明の詳細な説明】
【技術分野】
【０００１】
本発明は、マイクロ文字や図柄で構成された切込みを有する帳票、及び帳票の作製方法に関する。
【背景技術】
【０００２】
例えば、小切手、領収書などの単票形式の帳票は、控部と本紙が切り離し予定部で連接され、金額が記載された後、本紙が切り離されて顧客に渡され、控部が冊子側に残される。
複写形式の帳票の場合は、一枚目の帳票は金額が記載された後顧客に渡され、複写された２枚目は控として残される。
また、チケットや引換券のような帳票は、使用された後、切り離し部で切り離されて使用済みと未使用のものと区別されて保管される。
このような場合に切取りミシン（以下、切込みともいう）が帳票に形成される。
切込みには、切手で使用されているような丸い穴で構成されたもの，スロットミシンという細長い穴で構成されたもの，通常帳票に使用されているミシン目状の切込み，などがある。
そこで、製造工程での切込み部の不用意な切断や中折れを防止し、また、実際の使用時には切断が容易な「ミシン目、シート及びミシン刃」が提供されている（例えば、特許文献１参照）。。
特許文献１によれば、帳票は、送り状と受領書とがミシン目を介して並設されており、送り状は、運送荷物に貼り付けられ荷札となる票であり、受領書は、届け先で運送確認印をもらう票であり、ミシン目は、ミシン部と、マイクロミシン部を備え、ミシン部は、ミシン刃によって切断された切り部と、適正切断長さよりも長い非切り部とを交互に有し、マイクロミシン部は、非切り部に設けられ、非切り部の切断を容易にするための微細なミシン目であり、ミシン部の切り部や非切り部よりも微細な短切り部と非短切り部とを交互に有するというものである。
【０００３】
【特許文献１】特開２００６−１１１６０５号公報
【発明の開示】
【発明が解決しようとする課題】
【０００４】
特許文献１に記載の「ミシン目、シート及びミシン刃」は、単に切り離しのための「ミシン目」であり、切り離しのための「ミシン目」が形成されたシートであり、「ミシン目」を形成するためのミシン刃である。
本発明は、「通常の切り離し機能を有し、且つ、偽造防止要素を兼ね備えた切込み」を有する帳票および帳票の作製方法を提供するものである。
【課題を解決するための手段】
【０００５】
前記課題の目的を達成するために、本発明の切込みを有する帳票の第一の態様は、折り曲げや切り取りのための切込みが形成された帳票であって、切込みは、複数のマイクロ文字または図柄、または、マイクロ文字と図柄の組み合わせで構成されたことを特徴とするものである。
【０００６】
また、第二の態様は、第一の態様の切込みを有する帳票の作製方法であって、切込みは、押し切り刃によって形成されたことを特徴とするものである。
【０００７】
また、第三の態様は、第一の態様の切込みを有する帳票の作製方法であって、切込みは、レーザーによって形成されたことを特徴とするものである。
【発明の効果】
【０００８】
１）第一の態様のように、折り曲げや切り取りのための切込みが形成された帳票であって、切込みは、複数のマイクロ文字または図柄、または、マイクロ文字と図柄の組み合わせで構成されたことによって、切込みに単なる折り曲げや切り離しのための機能だけではなく偽造防止要素を付加させ、偽造防止要素を盛り込んだ帳票として低コストで提供することができる。
２）また、第二の態様のように、第一の態様の切込みを有する帳票の作製方法であって、切込みは、押切り刃によって形成されたことによって、偽造防止要素を盛り込んだ帳票として低コストで提供することができる。
３）また、第三の態様にように、第一の態様の切込みを有する帳票の作製方法であって、切込みは、レーザーによって形成されたことによって、より微細なマイクロ文字又は図柄、又はマイクロ文字と図柄の組み合わせを比較的自由に形成し、偽造防止要素を盛り込んだ帳票として低コストで提供することができる。
【発明を実施するための最良の形態】
【０００９】
以下、図面を参照して、本発明の切込みを有する帳票及びこの帳票の作製方法について説明する。
図１は、本発明の切込みを有する帳票の一例について説明するための図，図２は、図１の切込みの拡大図，図３は、切込みを形成するための押切り刃について説明するための図，図４は、切込みを有する帳票の作製方法の一例について説明するための図，である。
【００１０】
図１を参照して、本発明の切込みを有する帳票の一例について説明する。
図１に示す切込みを有する帳票１は、ビール券の一種で、メーカーを限定しないビール引換券の一例である。
切込みを有する帳票１（以下、図１の説明では「ビール券１」ともいう。）には、ビール券の種類を表示する「ビール共通券」の文字と、「６３３ｍｌビン２本とお引き換えください」なる説明文と、ビールの図柄と、表示しないが背景図柄などの印刷１１が施されている。
また、ビール券１の右下には、ビール共通券の管理番号「１２３４５６７８９」が印刷されている。
【００１１】
本発明の切込みを有する帳票１の例では、右上のコーナーに切込み１０がマイクロ文字又は図柄、又はマイクロ文字と図柄の組み合わせで形成されている。
ビール券１によってビール券に記載されたビールが引き換えになった時点で、ビール券の切込み１０の部分から外側の三角形の部分がビール券から切り離される。
外側の三角形の紙片が切込み部分で切り離されたビール券は、引換券としての役割を終える。
上記役割を終えたビール券は、処理センタに集められて、ビール券右下のビール券管理番号（図示せず）が磁気的又は光学的に読み取られて消し込み処理される。
【００１２】
ビール券を受け取ってビールを引き渡す側は、少なくとも、切込みがマイクロ文字又は図柄、又はマイクロ文字と図柄の組み合わせになっているかを確認することによって、手渡されたビール券が本物であるか否かを確認することができる。
ビール券には、多くの場合、偽造をチェックするための手段や偽造を牽制する手段が施されており、ビールを引き渡す側はその部分も確認する。
【００１３】
図２を参照して、本発明の切込みを有する帳票１の切込み１０について説明する。
切込み１０には、マイクロ文字又は図柄、又はマイクロ文字と図柄の組み合わせが形成されている。
図の例では、黒い文字で表示された「２ＢＥＥＲ」の部分が、押切り刃又はレーザーによって形成された切込み１０となっている。切込みは、ビール券の基材を貫通して形成されている。
すなわち、「２ＢＥＥＲ」の部分が従来のミシン目でいう「カット部」となっていて、「２ＢＥＥＲ」と「２ＢＥＥＲ」の文字群の間の部分が、従来のミシン目でいう「アンカット部」になっている。
「２ＢＥＥＲ」の文字群の部分は、ビール券の基紙が疎になっている部分であり、この弱くなった部分がカット部の役割を果たしている。
【００１４】
切込み１０の部分には、前述のようにマイクロ文字だけではなく、ロゴや記号などの図柄を選択することができる。また、切込み１０の部分は、マイクロ文字と、ロゴや記号などの図柄の組み合わせとすることができる。
更に、文字や図柄だけでは引き離し難い場合は、文字同士、図柄同士を短い線分で繋いで、切り離し易いようにすることもできる。
切込み１０の高さは、切手などに使用されている丸穴ミシンの直径やスロットミシンの幅程度、またはそれ以上の高さに設定され、前述のマイクロ文字などが肉眼で視認可能な大きさに設定されている。
【００１５】
図３を参照して、切込みを形成するための押切り刃について説明する。
押切り刃２の一方の先端には、ａ図に示すように「２ＢＥＥＲ」なる文字の逆文字による切込みのための文字２０が所定のピッチで形成されている。
「２ＢＥＥＲ」なる文字の逆文字の文字群の高さは、押切り刃２の厚さと略同じ（０．７〜０．９ｍｍ）になっており、文字の先端は帳票基紙を貫通するように鋭い刃の形状に仕上げられている。
切込みを構成する文字を上述の程度までマイクロ化した場合は、肉眼で文字を判別することが難しく、拡大鏡で確認する必要がある。
切込みを構成する文字を目視でチェックする必要がある場合は、前述の文字群の高さを目視可能な大きさに拡大して形成する。
また、押切り刃の深さ（凹凸）は、ｂ図に示すように帳票基紙（坪量６４ｇ／ｍ2〜８２ｇ／ｍ2）を貫通する高さ「Ｈ」（０．０８〜０．１１ｍｍ）に調整する。
【００１６】
図４を参照して、切込みを有する帳票の作製方法の一例について説明する。
輪転印刷方式の小切手印刷機で帳票（ビール券）１を印刷する。
印刷機のミシン加工ユニットに押切り刃をピッチ「Ｌ」でセットし、印刷とインラインで切込み１０１，１０２，１０３を形成する。
印刷及び切込みが形成された帳票は、一列の場合は５面、二列の場合は１０面付けでシートカットされる。
例えば、図のようにシートカットされた多面（５面）付けシートは、天地Ｌサイズに裁断され、更に、切込みの端部が帳票の仕上げ端面に掛かるように、帳票の一部「α」を断ち落とし、帳票の天地サイズを「Ｌ−α」に仕上げる。
この作業は、切込みの端部が帳票の仕上げ端面に掛かっていることにより、切り取り易くするためと、切込みが出来上がった帳票の底部に残らないようにするためである。
仕上げサイズに裁断されたビール券に、ＯＣＲＡ又はＯＣＲＢフォント（光学読取り文字）、又はＥ１３Ｂフォント（磁気，光学読取り文字）で管理番号を印刷し、切込みを有する帳票（ビール券）を完成させる。
【００１７】
次に、図示しないが、レーザーで切込みを形成する場合について説明する。
一般的なレーザーは、光共振器の中に入れたレーザー媒質を励起して反転分布状態にして動作させる。
レーザーには、媒質の種類により固体レーザー，気体レーザー，半導体レーザー，色素レーザー，エキシマーレーザーなどがある。レーザー光は、完全に位相が揃ったコヒーレント光で、スペクトル幅が極めて狭く、更に干渉性が著しく、指向性の鋭い細いビームの光線である。
レーザー光の連続発振出力は、１０μＷから１００ｋＷまで、ピーク出力は１Ｗから１００ＴＷである。
また、パルス幅は通常１μｓから１ｐｓである。広く利用されている産業用レーザーとして、気体レーザーではＣＯ２レーザー、固体レーザーではＮｄ：ＹＡＧレーザー，Ｎｄ：ＹＶＯ４レーザーなどがある。
【００１８】
本実施の形態では、媒質として、ネオジウム（Ｎｄ３＋）をドープしたＹＡＧ（Ｙ３ＡＩ５Ｏ１２）ロッドを使用したＮｄ：ＹＡＧレーザー（発振波長１．０６４μｍ）を使用する。なお、印字（破壊）する対象によってレーザーのスポット径を調整して使用するが通常１０〜５０μｍ程度で使用する。
【００１９】
レーザーによる切込みを有する帳票の作製方法について説明する。
前述の小切手印刷機で帳票（ビール券）１を多面付けで印刷し、１０面付けサイズでシートカットした後に更に縦５面付けサイズとし、オフラインでレーザーによって切込みを形成する。
その後の工程は、前述と同様である。
【産業上の利用可能性】
【００２０】
本発明の切込みを有する帳票はビール券をはじめ、手形，小切手，商品券などの有価証券や、チケットなどに利用される。
【図面の簡単な説明】
【００２１】
【図１】本発明の切込みを有する帳票の一例について説明するための図である。
【図２】図１の切込みの拡大図である。
【図３】切込みを形成するための押切り刃について説明するための図である。
【図４】切込みを有する帳票の作製方法の一例について説明するための図である。
【符号の説明】
【００２２】
１      切込みを有する帳票
２      押切り刃
１０，１０１，１０２，１０３  切込み
１１    印刷部
２０    切込み文字又は図柄
【図１】
2008200917.tif 000003
【図２】
2008200917.tif 000004
【図３】
2008200917.tif 000005
【図４】
2008200917.tif 000006